(57)【要約】【課題】患者の処方箋に対する調剤がどの処理工程にあるかを表示することである。【解決手段】調剤工程案内システムとしての調剤システム１００において、処方箋Ｐに取り付けられた電波発信機７０の電波受信装置２０Ａ，３０Ａ，４０Ａ，５０Ａにおける感知により、処方箋Ｐが、受付端末２０、調剤端末３０、服薬指導端末４０及び会計端末５０のどの処理工程にあるかが特定され、特定された処理工程と、処方箋Ｐごとに割り当てられる受付番号とが、サーバ１０を介して案内表示器６０に表示される。【選択図】図１
2005141370.tif 000002
【特許請求の範囲】
【請求項１】
調剤の複数の処理工程のうちの現在処理中の処理工程を患者に案内する調剤工程案内システムであって、
処方箋ごとに取り付け可能で、固有の電波を発信する電波発信手段と、
前記複数の処理工程にそれぞれ対応し、前記各電波発信手段から発信される電波を所定領域内で感知する複数の電波受信手段と、
処方箋ごとに取り付けられた電波発信手段と当該処方箋の識別情報とを関連付ける関連付け手段と、
前記電波発信手段から発信される電波が感知された電波受信手段に対応する処理工程を、当該電波発信元の電波発信手段に関連付けられた処方箋の識別情報に応じて表示する表示手段と、を備えることを特徴とする調剤工程案内システム。
【請求項２】
前記表示手段は、前記電波発信手段から発信される電波が感知された電波受信手段に対応する処理工程と、当該電波発信手段に関連付けられた処方箋の識別情報とを対応付けて表示することを特徴とする請求項１に記載の調剤工程案内システム。
【請求項３】
前記電波受信手段ごとに、各電波発信手段の電波の感知時間を取得する取得手段と、
前記取得手段により取得された感知時間を記憶する記憶手段と、を備えることを特徴とする請求項１又は２に記載の調剤工程案内システム。
【請求項４】
前記複数の電波受信手段がそれぞれ接続された複数の機能起動手段を備え、
前記機能起動手段は、前記接続された電波受信手段により前記電波発信手段から発信される電波が感知された場合に、当該電波受信手段の処理工程に対応する所定機能を起動することを特徴とする請求項１から３のいずれか一項に記載の調剤工程案内システム。
【請求項５】
処方箋ごとに取り付け可能で、固有の電波を発信する電波発信手段と、複数の処理工程にそれぞれ対応し、前記各電波発信手段から発信される電波を所定領域内で感知する複数の電波受信手段と、を具備するシステムに備えられたコンピュータに、
処方箋ごとに取り付けられた電波発信手段と当該処方箋の識別情報とを関連付ける機能と、
前記電波発信手段から発信される電波が感知された電波受信手段に対応する処理工程を、当該電波発信元の電波発信手段に関連付けられた処方箋の識別情報に応じて表示する機能と、
を実現させるための調剤工程案内プログラム。
【発明の詳細な説明】
【技術分野】
【０００１】
本発明は、調剤工程案内システム及び調剤工程案内プログラムに関する。
【背景技術】
【０００２】
従来、病院などの医療機関において処方箋が患者に渡され、患者は、その処方箋を持って調剤薬局に行き、調剤薬局の局員に処方箋を手渡して、自分の調剤を受付けてもらい、待合室などで自分の調剤が終わるのを待ち、調剤が終了した場合に、当該調剤の会計を済ませていた。
【０００３】
患者が自分の調剤の終了を待つ負担を軽減するため、患者に受付番号を付与し、調剤処理の受付番号の順番と、調剤が完了した受付番号とを、患者の待合室に設置される待合室表示部に表示させる構成が考えられている（例えば、特許文献１参照）。
【特許文献１】特開平１０−２０７９４９号公報
【発明の開示】
【発明が解決しようとする課題】
【０００４】
調剤薬局における調剤の処理工程は、例えば、順に、調剤の受付工程、調剤工程、調剤した薬剤の服薬指導工程、調剤した薬剤の会計工程がある。しかし、上記の調剤処理中の受付番号の順番と調剤が完了した受付番号とを表示させる構成では、患者が自分の処方箋の調剤がどの処理工程にあるかを把握することができず、調剤終了までの待ち時間の予想をすることが困難となり、調剤待ちの負担の軽減が十分でないおそれがあった。
【０００５】
本発明の課題は、患者の処方箋に対する調剤が現在どの処理工程にあるかを表示することである。
【課題を解決するための手段】
【０００６】
以上の課題を解決するために、本発明は、調剤の複数の処理工程のうちの現在処理中の処理工程を患者に案内する調剤工程案内システムであって、
処方箋ごとに取り付け可能で、固有の電波を発信する電波発信手段と、
前記複数の処理工程にそれぞれ対応し、前記各電波発信手段から発信される電波を所定領域内で感知する複数の電波受信手段と、
処方箋ごとに取り付けられた電波発信手段と当該処方箋の識別情報とを関連付ける関連付け手段と、
前記電波発信手段から発信される電波が感知された電波受信手段に対応する処理工程を、当該電波発信元の電波発信手段に関連付けられた処方箋の識別情報に応じて表示する表示手段と、を備えることを特徴とする。
【０００７】
本発明によれば、電波発信手段から発信される電波が感知された電波受信手段に対応する処理工程を、当該電波発信元の電波発信手段に関連付けられた処方箋の識別情報に応じて表示するので、患者が自分の処方箋に対応する調剤の処理工程をリアルタイムに参照でき、調剤が現在どの処理工程まで進んでいるかを容易に把握することができる。
【０００８】
また、例えば、前記表示手段は、前記電波発信手段から発信される電波が感知された電波受信手段に対応する処理工程と、当該電波発信手段に関連付けられた処方箋の識別情報とを対応付けて表示することとして構成してもよい。
【０００９】
また、例えば、前記電波受信手段ごとに、各電波発信手段の電波の感知時間を取得する取得手段と、
前記取得手段により取得された感知時間を記憶する記憶手段と、を備えることとして構成してもよい。
【００１０】
また、例えば、前記複数の電波受信手段がそれぞれ接続された複数の機能起動手段を備え、
前記機能起動手段は、前記接続された電波受信手段により前記電波発信手段から発信される電波が感知された場合に、当該電波受信手段の処理工程に対応する所定機能を起動することとして構成してもよい。
【発明の効果】
【００１１】
本発明によれば、電波発信手段から発信される電波が感知された電波受信手段に対応する処理工程を、当該電波発信元の電波発信手段に関連付けられた処方箋の識別情報に応じて表示するので、患者が自分の処方箋に対応する調剤の処理工程をリアルタイムに参照でき、調剤が現在どの処理工程まで進んでいるかを容易に把握することができる。
【発明を実施するための最良の形態】
【００１２】
以下、添付図面を参照して本発明に係る好適な実施の形態を詳細に説明する。
【００１３】
まず、図１〜図４を参照して本実施の形態の装置構成を説明する。図１に、調剤システム１００の構成を示す。図２に、サーバ１０の内部構成を示す。図３に、受付端末２０の内部構成を示す。図４に、案内表示器６０の内部構成を示す。
【００１４】
本実施の形態の調剤工程案内システムとしての調剤システム１００は、表示手段としてのサーバ１０と、関連付け手段としての受付端末２０と、調剤端末３０と、服薬指導端末４０と、会計端末５０と、電波受信手段としての電波受信装置２０Ａ，３０Ａ，４０Ａ，５０Ａと、表示手段としての案内表示器６０とを備え、サーバ１０、受付端末２０、調剤端末３０、服薬指導端末４０、会計端末５０及び案内表示器６０が通信ネットワークＮにより通信接続される。
【００１５】
また、電波受信装置２０Ａ，３０Ａ，４０Ａ，５０Ａは、順に、受付端末２０、調剤端末３０、服薬指導端末４０、会計端末５０に通信接続される。電波受信装置２０Ａ，３０Ａ，４０Ａ，５０Ａは、それぞれ、電波発信手段としての電波発信機７０を検知可能なエリア（範囲）を異に設定することができる。電波発信機７０は、各電波発信機を識別可能な固有の周波数の微弱電波を発信する。病院内などの医療機関内において、電波により機能が低下又は停止するペースメーカなどの医療機器に影響を与えないため、電波発信機７０から電波受信装置２０Ａ，３０Ａ，４０Ａ又は５０Ａへの通信は、各電波受信装置から一定の範囲内に制限される。以下、各端末（各電波受信装置）に対応して電波発信機７０を感知可能な範囲を感知エリアとする。
【００１６】
調剤システムは１００は、調剤薬局に設けられる。また、病院などの医療機関において診察を終えた患者は、電波発信機７０が取り付けられた処方箋Ｐが医者などから手渡される。そして、処方箋Ｐを持参する患者は調剤薬局に来訪し、当該患者に対して調剤薬局側で調剤を行う。
【００１７】
処方箋Ｐ及び電波発信機７０は、それぞれ１つを代表して図示しているが、患者ごとに異なるものである。例えば、電波発信機７０は、調剤薬局において同時に調剤可能（受付可能）な患者数以上の複数台用意される。また、電波発信機７０は、各電波発信機を識別可能な特定の周波数の電波を発信する。
【００１８】
調剤薬局における調剤の処理工程は、順に、患者が持参した処方箋Ｐを受け取り調剤依頼の受付を行う受付工程と、処方箋Ｐに基づいて調剤を行う調剤工程と、調剤した薬剤の薬剤情報箋を発行して服薬の仕方などを患者に指導する服薬指導工程と、患者に対して調剤の会計を行い会計のレシートを発行する会計工程とを含む。しかし、この処理工程は一例であり、この各処理工程に限るものではない。受付端末２０、調剤端末３０、服薬指導端末４０、会計端末５０は、順に、上記受付工程、調剤工程、服薬指導工程、会計工程に対応し、各処理工程に対応する操作者が操作する。
【００１９】
通信ネットワークＮは、例えば、ＬＡＮ（Local Area Network）であるが、ＷＡＮ（Wide Area Network）を含めてもよく、電話回線網、ＩＳＤＮ（Integrated Services Digital Network）回線網、広帯域通信回線網、専用線、移動体通信網、通信衛星回線、ＣＡＴＶ（Community Antenna Television）回線、光通信回線、無線通信回線と、それらを接続するインターネットサービスプロバイダなどを含む構成でもよい。
【００２０】
次に、図２を参照して、サーバ１０の内部構成を説明する。サーバ１０は、ＣＰＵ（Central Processing Unit）１１と、操作部１２と、ＲＡＭ（Random Access Memory）１３と、表示部１４と、記憶手段としての記憶部１５と、通信部１６と、を備えて構成され、各部は、バス１７に接続される。
【００２１】
ＣＰＵ１１は、携帯電話１０内の各部を中央制御する。ＣＰＵ１１は、記憶部１５に格納されているシステムプログラム及び各種アプリケーションプログラムの中から指定されたプログラムをＲＡＭ１３に展開し、ＲＡＭ１３に展開されたプログラムとの協働で、各種処理を実行する。この処理の実行主体を制御部１１１とする。
【００２２】
操作部１２は、カーソルキー、数字入力キー及び各種機能キーなどを備えたキーボードを含む構成とする。入力部４２は、操作者によりキーボードで押下された押下信号をＣＰＵ４１に出力する。また、操作部１２は、マウスなどのポインティングデバイスを含む構成としてもよい。
【００２３】
ＲＡＭ１３は、前記指定されたプログラム、入力指示、入力データ及び処理結果などを格納するワークエリアを有し、情報を一時的に格納する。表示部１４は、ＬＣＤ（Liquid Crystal Display）、ＣＲＴ（Cathode Ray Tube）などで構成され、ＣＰＵ１１からの表示信号に従って、画面表示を行う。
【００２４】
記憶部１５は、各種プログラム、各種データなどが予め記憶され又は書込み可能な記録媒体（図示せず）を有し、当該記録媒体は、磁気的、光学的記録媒体若しくは半導体などの不揮発性メモリなどのＣＰＵ１１読取り可能な記録媒体で構成されている。当該記録媒体としては、固定ハードディスク、フラッシュＲＯＭなどの固定的に設けたものや、ＣＤ−ＲＷ（CD-ReWritable）、ＤＶＤ−ＲＡＭ、メモリカード、携帯ハードディスク、青色レーザを用いる大容量情報記録媒体などの着脱自在に装着する可搬型のものが用いられる。また、記憶部１５は、プログラムなどを読み出し可能に記憶するＲＯＭ（Read Only Memory）などを含む構成でもよい。
【００２５】
通信部１６は、外部機器との通信を行うためのネットワークカードなどにより構成される。
【００２６】
次いで、図３を参照して、受付端末２０の内部構成を説明する。受付端末２０は、ＣＰＵ２１と、操作部２２と、ＲＡＭ２３と、表示部２４と、記憶手段としての記憶部２５と、通信部２６と、取得手段としての計時部２７と、通信接続部２８と、を備えて構成され、各部がバス２９に接続される。また、ＣＰＵ２１とＲＡＭ２３内の各種プログラムとの協働により、各種処理が実行され、その処理実行の主体を、取得手段及び機能起動手段としての制御部２１１とする。
【００２７】
ＣＰＵ２１、操作部２２、ＲＡＭ２３、表示部２４、記憶部２５及び通信部２６は、サーバ１０のＣＰＵ１１、操作部１２、ＲＡＭ１３、表示部１４、記憶部１５及び通信部１６と同様であり、重複を避けるために説明を省略する。計時部２７は、現在時刻を取得してＣＰＵ２１に出力する。通信接続部２８は、電波受信装置２０Ａとケーブルなどにより通信接続され、電波受信装置２０Ａから情報を受信してＣＰＵ２１に出力する。
【００２８】
また、調剤端末３０、服薬指導端末４０及び会計端末５０は、服薬端末２０と同様であり、重複を避けるために説明を省略する。図示しないが、調剤端末３０は、ＣＰＵ３１、操作部３２、ＲＡＭ３３、表示部３４、記憶部３５、通信部３６、計時部３７、通信接続部３７、バス３８及び制御部３１１を備える。服薬指導端末４０は、ＣＰＵ４１、操作部４２、ＲＡＭ４３、表示部４４、記憶部４５、通信部４６、計時部４７、通信接続部４８、バス４９及び制御部４１１を備える。会計端末５０は、ＣＰＵ５１、操作部５２、ＲＡＭ５３、表示部５４、記憶部５５、通信部５６、計時部５７、通信接続部５８、バス５９及び制御部５１１を備える。ただし、服薬指導端末４０及び会計端末５０は、薬用情報箋や会計のレシートを印刷するための図示しない印刷部をそれぞれ備える。
【００２９】
次いで、図４を参照して、案内表示器６０の内部構成を説明する。案内表示器６０は、ＣＰＵ６１と、操作部６２と、ＲＡＭ６３と、表示部６４と、記憶部６５と、通信部６６と、を備えて構成され、各部がバス６７に接続される。また、ＣＰＵ２１とＲＡＭ２３内の各種プログラムとの協働により、各種処理が実行され、その処理実行の主体を制御部６１１とする。
【００３０】
ＣＰＵ６１、ＲＡＭ６３及び通信部６６は、サーバ１０のＣＰＵ１１、ＲＡＭ１３及び通信部１６と同様であり、重複を避けるために説明を省略する。操作部６２は、各種調整ボタンなどを有し、入力された操作信号をＣＰＵ６１に出力する。表示部６４は、調剤薬局の患者が調剤の間に待機する待合室などに設けられる大画面の表示部であり、例えば、プラズマディスプレイ、ＬＣＤ、ＥＬ（ElectroLuminescent）ディスプレイなどにより構成される。記憶部６５は、各種データ及び各種プログラムを記憶するＲＯＭなどにより構成される。
【００３１】
次に、図５〜図７を参照して、サーバ１０の記憶部１５に記憶される情報と、受付端末２０の記憶部２５に記憶される情報と、を説明する。図５に、サーバ１０の記憶部１５に記憶される管理情報ファイル１５１の構成を示す。図６に、サーバ１０の記憶部１５に記憶される関連付けファイル１５２の構成を示す。図７に、受付端末２０の記憶部２５に記憶される感知時間ファイル２５１の構成を示す。
【００３２】
図５に、サーバ１０において各端末から受信した情報を格納する管理情報ファイル１５１を示す。管理情報ファイル１５１は、サーバ１０の記憶部１５に記憶される。管理情報ファイル１５１は、調剤の各処理工程名としての工程名１５１１と、受け付けた各処方箋を識別するための受付番号１５１２と、工程名１５１１に対応する各端末の感知エリア内の電波発信機７０（処方箋Ｐ）を感知し続けた時間を示す感知時間１５１３と、調剤した薬剤の数量としての調剤件数１５１４との項目を有する。
【００３３】
図６に、サーバ１０において受付端末２０から受信した受付番号及び周波数と各処方箋Ｐとの関連付けの情報を格納する関連付け情報ファイル１５２を示す。関連付け情報ファイル１５２は、サーバ１０の記憶部１５に記憶される。関連付け情報ファイル１５２は、受付番号１５２１と、受付番号１５２１に対応する電波発信機７０を感知した周波数１５２２と、受付番号２５１１に対応する処方箋Ｐを識別する処方箋番号１５２３との項目を有する。
【００３４】
図７に、受付端末２０において感知エリア内の感知時間を格納する感知時間ファイル２５１を示す。感知時間ファイル２５１は、受付端末２０の記憶部２５に記憶される。感知時間ファイル２５１は、受付番号２５１１と、受付番号２５１１に対応する電波発信機７０の感知時間２５１２との項目を有する。なお、調剤端末３０、服薬指導端末４０、会計端末５０、においても受付端末２０と同様にして感知時間ファイル２５１が記憶部に記憶される。
【００３５】
次に、図８〜図１２を参照して、調剤システム１００の動作を説明する。図８に、各端末において実行される感知エリア設定処理を示す。図９に、受付端末２０において実行される受付処理を示す。図１０に、各端末において実行される感知時間管理処理を示す。図１１に、調剤端末３０、服薬指導端末４０、会計端末５０において実行される工程関連処理を示す。図１２に、サーバ１０において実行される情報管理処理を示す。
【００３６】
図８を参照して、各端末において、電波発信機７０を感知可能な感知エリアを範囲設定する感知エリア設定処理を説明する。調剤薬局内において、受付工程、調剤工程、服薬指導工程、会計工程のそれぞれの作業エリアは、各作業の性質及び建物の間取りなどにより、その範囲の大きさが異なる。このため、各作業エリアに応じて、各端末の各電波受信装置において、電波発信機７０が感知可能な感知エリアの範囲を設定する。
【００３７】
ここでは、各端末のうちの受付端末２０で実行される感知エリア設定処理を代表して説明するが、調剤端末３０、服薬指導端末４０、会計端末５０で実行される感知エリア設定処理も同様である。受付端末２０において、操作部２２を介して操作者（受付者）から感知エリア設定指示が入力されたことをトリガとして、ＣＰＵ２１は、記憶部２５に記憶された感知エリア設定プログラムを適宜読み出してＲＡＭ２３に展開し、ＣＰＵ２１とＲＡＭ２３内の感知エリア設定プログラムとの協働により感知エリア設定処理が実行される。この処理実行の主体を制御部２１１とし、以下の受付端末２０における処理でも同様とする。
【００３８】
先ず、操作部２２を介してユーザによる感知エリアの範囲の設定入力が受け付けられる（ステップＳ１１）。例えば、電波受信装置２０Ａから半径２メートルなどのように設定入力される。そして、ステップＳ１１において入力された感知エリアの範囲を含む感知エリア情報が作成されて記憶部２５に記憶され（ステップＳ１２）、感知エリア設定処理が終了される。実際に電波発信機７０を感知する場合には、記憶部２５に記憶された感知エリア情報が読み出されて電波受信装置２０Ａに送信され、電波受信装置２０Ａにおける感知エリアが設定される。
【００３９】
感知エリア設定処理は、各端末及び各電波受信装置の初期導入時に一度だけ実行されるものとするが、調剤の処理工程の変更などにより、感知エリアを変更する場合に実行される構成としてもよい。
【００４０】
次いで、図９を参照して、受付端末２０において、患者が持参した処方箋Ｐを受付者が受けとり、当該処方箋Ｐを受付番号及び電波発信機７０と関連付けて受け付ける受付処理を説明する。受付処理は、調剤の処理工程の受付工程に対応する。患者は、診察を受けた医療機関で手渡された処方箋Ｐを持参し、調剤薬局の受付者に処方箋Ｐを手渡す。受付者は、電波発信機７０をスイッチオンして電波を発信する状態にして処方箋Ｐに貼り付ける。
【００４１】
そして、受付端末２０において、操作部２２を介して受付者から受付処理実行指示が入力されたことをトリガとして、ＣＰＵ２１は、記憶部２５に記憶された受付処理プログラムを適宜読み出してＲＡＭ２３に展開し、ＣＰＵ２１とＲＡＭ２３内の受付処理プログラムとの協働により受付処理が実行される。
【００４２】
先ず、持参された処方箋Ｐに対する受付番号が設定される（ステップＳ２１）。例えば、受付番号として、受け付けた全処方箋の通番が自動的に設定される。受付番号は、患者が識別しやすい番号が好ましく、例えば、毎日の調剤業務の終了ごとにリセットされる構成とする。
【００４３】
そして、操作部２２を介して受付者により入力される、処方箋Ｐに記載された処方箋番号と、処方箋Ｐに貼り付けられた電波発信機７０が発信する電波の周波数と、を受け付ける（ステップＳ２２）。処方箋番号は、処方箋を識別する番号であり、例えば、異なる処方箋で同じ番号とならない。また、周波数は、異なる電波発信機７０で同じ値とならない。また、電波発信機７０の識別番号を入力することにより、当該識別番号に対応する周波数を自動的に取得する構成としてもよい。
【００４４】
そして、ステップＳ２１において設定された受付番号と、ステップＳ２２において入力された処方箋番号及び周波数とが関連付けられる（ステップＳ２３）。電波発信機７０の数は限られているので、異なる受付番号又は異なる処方箋番号に対応して、同じ周波数が関連付けられることもある。
【００４５】
そして、ステップＳ２１において設定された受付番号と、ステップＳ２２において入力された処方箋番号及び周波数とが関連付け情報として、記憶部２５に記憶される（ステップＳ２４）。そして、関連付け情報が、通信部２６及び通信ネットワークＮを介してサーバ１０に送信され（ステップＳ２５）、受付処理が終了される。
【００４６】
次いで、図１０を参照して、各端末において、自機の感知エリアに対応する各電波発信機（各処方箋Ｐ）の感知時間を管理する感知時間管理処理を説明する。電波発信機７０が処方箋Ｐに貼り付けられ、その処方箋Ｐが受付工程、調剤工程、服薬指導工程、会計工程で順に使われる。その過程で処方箋Ｐは、受付端末２０、調剤端末３０、服薬指導端末４０、会計端末５０の各感知エリアを順に通過していく。
【００４７】
ここでは、各端末のうちの受付端末２０で実行される感知時間管理処理を代表して説明するが、調剤端末３０、服薬指導端末４０、会計端末５０で実行される感知時間管理処理も同様である。受付端末２０において、通信接続部２８を介して電波受信装置２０Ａから電波発信機７０の感知信号が受信されていない状態から新たに受信されたことをトリガとして、ＣＰＵ２１は、記憶部２５に記憶された感知時間管理プログラムを適宜読み出してＲＡＭ２３に展開し、ＣＰＵ２１とＲＡＭ２３内の感知時間管理プログラムとの協働により感知時間管理処理が実行される。
【００４８】
受付端末２０においては、処方箋Ｐに貼り付ける際に電波発信機７０がスイッチオンされたことがトリガとなる。調剤端末３０、服薬指導端末４０及び会計端末５０においては、各感知エリア外から、電波発信機７０が貼り付けられた処方箋Ｐが自工程の感知エリア内に入ったことがトリガとなる。また、調剤端末３０、服薬指導端末４０及び会計端末５０においては、サーバ１０における後述する情報管理処理の実行により、サーバ１０から通信ネットワークＮを介して関連付け情報を受信して記憶部に記憶しているものとし、受付の終了している処方箋Ｐの受付番号、周波数及び処方箋番号が読み出し可能な状態である。
【００４９】
受付端末２０において、先ず、電波受信装置２０Ａの設定周波数が設定され、当該設定周波数において通信接続部２７を介して電波受信装置２０Ａからの電波発信機７０の感知信号の受信により、電波発信機７０の電波が感知される（ステップＳ３１）。最初にステップＳ３１が実行される場合、全電波発信機７０の最大周波数を設定周波数とする。感知時間管理処理においては、設定周波数が、全電波発信機７０の最大周波数から、所定値ずつダウンされて、全電波発信機７０の最小周波数に至り、また最大周波数に戻る。この最大周波数から最小周波数への設定周波数のダウンの過程を１サイクルと定義する。また、１サイクル中の最大周波数から最小周波数への所定値ずつの設定周波数のダウンにより、設定周波数があらゆる電波発信機７０の周波数と等しくなるタイミングが存在するものとする。
【００５０】
そして、ステップＳ３１における電波発信機７０の感知信号の受信の有無に基づいて、設定周波数の電波が感知されたか否かが判別される（ステップＳ３２）。設定周波数の電波が感知された場合（ステップＳ３２；ＹＥＳ）、記憶部２５に記憶された関連付け情報が参照され、設定周波数に関連付けられる受付番号が認識される（ステップＳ３３）。そして、ステップＳ３３において認識された受付番号に対応する電波発信機７０が既に感知済みであるか否かが判別される（ステップＳ３４）。
【００５１】
既に感知済みでない場合（ステップＳ３４；ＮＯ）、現在の感知数が＋１されてＲＡＭ２３に格納される（ステップＳ３５）。感知数とは、自工程の感知エリア内に同時に存在する電波発信機７０の数を示し、初期値は０である。
【００５２】
そして、ステップＳ３３において特定された受付番号が記憶部２５内の感知時間ファイル２５１に記憶されて、設定周波数に対応する感知時間のカウントがスタートされる（ステップＳ３６）。具体的には、特定された受付番号が感知時間ファイル２５１の受付番号２５１１に記憶され、計時部２７により現在時刻が取得され、当該現在時刻が設定周波数に対応する感知時間のスタート時刻に設定されてＲＡＭ２３に格納される。
【００５３】
そして、自工程の工程名（ここでは受付工程）と、直前のステップＳ３３において認識された受付番号が、通信部２６及び通信ネットワークＮを介してサーバ１０に送信される（ステップＳ３７）。ステップＳ３５〜Ｓ３７は、設定周波数に対応する新たな電波発信機７０（が貼り付けられた処方箋Ｐ）が、自工程の感知エリアに入ってきたことに対応するステップである。
【００５４】
そして、設定周波数が１サイクル以上変更され、且つＲＡＭ２３に格納された感知数が０であるか否かが判別される（ステップＳ３８）。既に感知済みである場合（ステップＳ３４；ＹＥＳ）、設定周波数が、自工程の感知エリアに既に入っている電波発信機７０に対応することを意味し、ステップＳ３８に移行される。
【００５５】
設定周波数が１サイクル以上変更され且つ感知数が０である場合（ステップＳ３８；ＹＥＳ）、自工程の感知エリアに電波発信機７０が存在しないことを意味し、感知時間管理処理が終了される。設定周波数が１サイクル以上変更され且つ感知数が０でない場合（ステップＳ３８；ＮＯ）、自工程の感知エリアに電波発信機７０が存在する又は存在する可能性があることを意味し、設定周波数が所定値ダウンされ（ステップＳ３９）、ステップＳ３１に移行される。
【００５６】
設定周波数の電波が感知された場合（ステップＳ３２；ＹＥＳ）、前回のサイクルに現在の設定周波数の電波が感知されたか否かが判別される（ステップＳ４０）。前回のサイクルに現在の設定周波数で電波が感知されていない場合（ステップＳ４０；ＮＯ）、設定周波数の電波発信機７０が自工程の感知エリア内に未だ入っていないことを意味し、ステップＳ３８に移行される。
【００５７】
前回のサイクルに現在の設定周波数で電波が感知されていた場合（ステップＳ４０；ＹＥＳ）、設定周波数の電波発信機７０が自工程の感知エリア内に入っていたが新たに当該感知エリア外から出て行ったことを意味し、ＲＡＭ２３内の感知時間のスタート時刻に基づいて、設定周波数に対応する感知時間が算出されて記憶部２５の感知時間ファイル２５１に記憶される（ステップＳ４１）。具体的には、現在の設定周波数に対応する感知時間のスタート時刻がＲＡＭ２３から読み出され、計時部２７により現在時刻が取得され、現在時刻とスタート時刻との差が感知時間として算出され、当該感知時間が感知時間ファイル２５１の設定周波数に対応する受付番号５２１１の感知時間２５１２に記憶される。
【００５８】
そして、自工程名と、ステップＳ４１において取得された受付番号及び感知時間とが、通信部２６及び通信ネットワークＮを介してサーバ１０に送信される（ステップＳ４２）。そして、現在の感知数が−１されてＲＡＭ１３に格納され（ステップＳ４３）、ステップＳ３８に移行される。
【００５９】
次いで、図１１を参照して、調剤端末３０、服薬指導端末４０、会計端末５０において、各工程に関する各種処理を行う工程関連処理を説明する。ここでは、調剤端末３０で実行される工程関連処理を代表して説明するが、服薬指導端末４０、会計端末５０で実行される工程関連処理も同様である。
【００６０】
予め、前工程から処方箋Ｐを現工程の操作者が受け取っているものとする。例えば、調剤工程では、受付工程の受付者から受付工程が終了した処方箋Ｐが調剤者に手渡される。このとき、調剤端末３０において、通信接続部３８を介して電波受信装置３０Ａから電波発信機７０の感知信号が受信されていない状態から新たに受信されたことをトリガとして、ＣＰＵ３１は、記憶部３５に記憶された工程関連処理プログラムを適宜読み出してＲＡＭ３３に展開し、ＣＰＵ３１とＲＡＭ３３内の工程関連処理プログラムとの協働により工程関連処理が実行される。
【００６１】
先ず、自工程に対応するアプリケーションプログラムが記憶部３５から読み出されて起動され、操作部３４を介して、操作者からの実行予定の処理の種類の入力が受け付けられる（ステップＳ５１）。処理の種類は、処方箋Ｐに関連する処理と、処方箋Ｐに関連しないその他の処理と、全処理の終了と、のいずれか１つである。また、アプリケーションプログラムの起動中は、新たにアプリケーションプログラムを移動しない。そして、ステップＳ５１において入力された処理の種類が処方箋Ｐに関連する処理か否かが判別される（ステップＳ５２）。
【００６２】
処方箋Ｐに関連する処理である場合（ステップＳ５２；ＹＥＳ）、自工程の感知エリア内に存在する電波発信機７０のうち、電波受信装置３０Ａに距離的に一番近い電波発信機７０の電波が電波受信装置３０Ａにより感知される（ステップＳ５３）。例えば、電波受信装置３０Ａで受信された電波の強度に基づいて、一番近い電波発信機７０の電波が特定される。そして、ステップＳ５３において感知された電波があるか否かが判別される（ステップＳ５４）。
【００６３】
感知された電波がない場合（ステップＳ５４；ＮＯ）、自工程の感知エリア内に電波発信機７０が存在しないことを意味し、ステップＳ５１に移行される。感知された電波がある場合（ステップＳ５４；ＹＥＳ）、記憶部３５に記憶された関連付け情報に基づいて、感知した周波数に対応する受付番号が確定される（ステップＳ５５）。そして、ステップＳ５５において確定された周波数の電波発信機７０が貼り付けられた処方箋Ｐを用いる処方箋関連処理が実行され（ステップＳ５６）、ステップＳ５１に移行される。
【００６４】
調剤端末３０において、処方箋関連処理は、例えば、調剤者が処方箋Ｐを参照して調剤をして、操作部３２を介して調剤者による調剤に関するデータの入力が受け付けられる。このデータは、例えば、調剤録の作成に用いられる。また、調剤に関するデータとして、薬剤の調剤件数が入力され、調剤件数及び受付番号が通信部３６及び通信ネットワークＮを介してサーバ１０に送信される。
【００６５】
また、服薬指導端末４０において、処方箋関連処理は、例えば、服薬指導者が処方箋Ｐを参照して、操作部４２を介して服薬指導者による薬剤情報箋作成のためのデータの入力を受け付け、当該入力データに基づいて図示しない印刷部から薬剤情報箋を印刷する。服薬指導者は、印刷された薬剤情報箋を用いて患者に服薬指導を行う。また、会計端末５０において、処方箋関連処理は、例えば、会計者が処方箋Ｐを参照して、操作部５２を介して会計者によるレシート作成のためのデータの入力を受け付け、図示しない印刷部からレシートを印刷する。会計者は、印刷されたレシートを用いて患者の会計を行う。
【００６６】
また、処方箋関連処理に必要な情報が、自工程の感知エリアで感知された電波発信機７０に対応する受付番号などをキーとして、サーバ１０から呼び出され、又は記憶部３５から読み出されて取得される。
【００６７】
処方箋Ｐに関連する処理でない場合（ステップＳ５２；ＮＯ）、ステップＳ５１において入力された処理の種類が処理の終了であるか否かが判別される（ステップＳ５７）。処理の終了である場合（ステップＳ５７；ＹＥＳ）、工程関連処理が終了される。処理の終了でない場合（ステップＳ５７；ＮＯ）、処方箋Ｐを用いないその他の処理が実行され（ステップＳ５８）、ステップＳ５１に移行される。
【００６８】
次いで、図１２を参照して、サーバ１０において、各端末との情報の送受信及び案内表示器２０へ表示情報の送信をして情報を管理する情報管理処理を説明する。サーバ１０において、通信ネットワークＮ及び通信部２６を介して各端末から情報を受信開始されたことをトリガとして、ＣＰＵ１１は、記憶部１５に記憶された情報管理プログラムを適宜読み出してＲＡＭ１３に展開し、ＣＰＵ１１とＲＡＭ１３内の情報管理プログラムとの協働により情報管理処理が実行される。この処理実行の主体を制御部１１１とする。
【００６９】
先ず、通信ネットワークＮ及び通信部２６を介して各端末から情報が受信される（ステップＳ６１）。受信される情報は、受付処理のステップＳ２５に対応する関連付け情報と、感知時間管理処理のステップＳ３７に対応する工程名及び受付番号と、感知時間管理処理のステップＳ４２に対応する工程名、受付番号及び感知時間と、工程関連処理のステップＳ５６に対応する調剤端末３０からの受付番号及び調剤件数と、のいずれか１つである。
【００７０】
そして、ステップＳ６１において受信された情報が記憶部１５に記憶される（ステップＳ６２）。具体的には、受信された情報が関連付け情報である場合に、受信した関連付け情報の受付番号、周波数及び処方箋番号が、順に、関連付け情報ファイル１５２の受付番号１５２１、周波数１５２２及び処方箋番号１５２３に記憶される。受信された情報が工程名及び受付番号である場合に、受信した工程名、受付番号が、順に、管理情報ファイル１５１の工程名１５１１、受付番号１５１２に記憶される。受信された情報が工程名、受付番号及び感知時間である場合に、受信した工程名、受付番号、感知時間が、順に、管理情報ファイル１５１の工程名１５１１、受付番号１５１２、感知時間１５１３に記憶される。受信された情報が受付番号及び調剤件数である場合に、受信した受付番号、調剤件数が、順に、管理情報ファイル１５１の受付番号１５１２、調剤件数１５１４に記憶される。ただし、既に記憶されている情報で重複する情報は上書きされる。
【００７１】
そして、案内表示器６０で表示される患者に示すための表示情報の更新を要するか否かが判別される（ステップＳ６３）。具体的には、ステップＳ６１において受信される情報が工程名及び受付番号と、工程名、受付番号及び感知時間と、のいずれかである場合には、表示情報の内容が変わるため、表示情報の更新を要する。ステップＳ６１において受信される情報が関連付け情報と、受付番号及び調剤件数とのいずれかである場合には、表示情報の内容が変わらないため、表示情報の更新を要しない。
【００７２】
表示情報の更新を要する場合（ステップＳ６３；ＹＥＳ）、ステップＳ６２において記憶された管理情報ファイル１５１から表示情報が作成され、通信部１６及び通信ネットワークＮを介して案内表示器６０に送信される（ステップＳ６４）。表示情報は、例えば、管理情報ファイル１５１内の感知時間１５１３を各工程が終了されたか否かのフラグとみなし、感知時間１５１３がデータを有しないレコードについての工程名１５１１及び受付番号を含む情報とする。表示情報内の受付番号は、古いものから新しいものへの順番（処理の優先順）に配列されるものとする。
【００７３】
案内表示器６０において、ＣＰＵ６１は、記憶部６５に記憶された表示プログラムを適宜読み出してＲＡＭ６３に展開し、ＣＰＵ６１とＲＡＭ６３内の表示プログラムとの協働により表示処理が実行される。この処理実行の主体を制御部６１１とする。制御部６１１により、通信ネットワークＮ及び通信部６６を介して受信された表示情報に基づいて、各処理工程ごとの患者の受付番号が表示部６４に表示される。つまり、表示情報の変更自在に、各処理工程ごとの患者の受付番号がリアルタイムに表示される。また、処理工程ごとに受付番号が処理の優先順に表示される。
【００７４】
そして、ステップＳ６１において受信された情報が関連付け情報であるか否かが判別される（ステップＳ６５）。表示情報の更新を要しない場合（ステップＳ６３；ＮＯ）、ステップＳ６５に移行される。受信された情報が関連付け情報である場合（ステップＳ６５；ＹＥＳ）、受信した関連付け情報が通信部１６及び通信ネットワークＮを介して、調剤端末３０、端末４０及び会計端末５０に送信され（ステップＳ６６）、情報管理処理が終了される。受信された情報が関連付け情報でない場合（ステップＳ６５；ＮＯ）、情報管理処理が終了される。
【００７５】
以上、本実施の形態によれば、電波発信機７０から発信される電波が感知された各端末（電波受信装置）に対応する処理工程の工程名と、当該電波の発信元の電波発信機７０に関連付けられた処方箋Ｐを識別する受付番号と、を対応付けて案内表示器６０に表示するので、患者が自分の処方箋に対応する処理工程をリアルタイムに参照でき、調剤が現在どの処理工程まで進んでいるかを容易に把握することができる。
【００７６】
また、各端末において感知された各電波発信機の感知時間を算出し、サーバ１０の記憶部１５の管理情報ファイル１５１に記憶するので、管理情報ファイル１５１内の各処理工程の感知時間を参照して、各処理工程の感知時間１５１３を各処理工程に要した時間とみなして、各処理工程にかかる処理時間を管理することができる。例えば、特定の処理工程に処理時間がかかっているようであれば、その原因を追求して処理時間を短縮するように改善することができる。また、同様に、調剤の調剤件数を取得し、サーバ１０の記憶部１５の管理情報ファイル１５１に記憶するので、管理情報ファイル１５１内の各処理工程の調剤件数１５１４を管理することができる。
【００７７】
また、各端末において電波発信機７０から発信される電波が感知された場合に、各処理工程に対応する機能を実行するアプリケーションプログラムを起動するので、各処理工程の作業者が電波の感知の度にアプリケーションプログラムを起動する負担を軽減でき、起動のための入力ミスを防ぐことができる。
【００７８】
なお、本実施の形態においては、工程名ごとの各処方箋の受付番号を案内表示器６０に表示する構成であったが、これに限るものではない。例えば、各患者が携帯式の微弱電波受信機能を有する表示装置を持ち、各患者の処方箋に対応する工程名を、調剤薬局の送信機から各携帯式表示装置に送信して表示させる構成としてもよい。これに関して、本実施の形態と同様に、調剤中の全ての患者の受付番号を各携帯式表示装置に表示させる構成としてもよい。また、例えば、調剤の受付時に、携帯式表示装置を貸し出し、会計後に患者から携帯式表示装置を回収する構成としてもよい。
【００７９】
また、本実施の実施の形態においては、電波発信機７０と電波受信装置２０Ａ，３０Ａ，３０Ａ，４０Ａとの間で微弱電波の通信を行う構成であったが、これに限るものではない。例えば、ＩｒＤＡ（InfraRed Data Association）などの赤外線通信などの光通信による構成としてもよい。
【００８０】
また、本実施の実施の形態においては、処方箋が用紙に記載される構成であったが、これに限るものではない。例えば、電子ペーパに処方箋を表示させる構成としてもよい。電子ペーパは、表示情報の入力により表示情報を表示し、電源オフ後一定時間、表示情報を表示したまま保持可能な表示装置である。また、電子ペーパに電波発信機を一体的に設ける構成としてもよい。
【００８１】
また、本実施の実施の形態においては、各電波発信機７０が固有周波数の電波を発信する構成であったが、これに限るものではない。例えば、各電波発信機７０が同じ周波数の電波を発信し、当該電波が各電波発信機７０を識別する識別データを含むように生成される構成としてもよい。この場合、各電波発信機７０が特定位置（例えば、各工程の受付机の上）を通過した際だけ電波を受信するようにすれば、混信を防ぐことができる。
【００８２】
また、本実施の実施の形態においては、各電波発信機７０を処方箋Ｐに取り付ける構成であったが、これに限るものではない。例えば、各電波発信機７０を薬暦簿に取り付ける構成としてもよい。薬暦簿は追記型であるので、各工程処理中に、棚からの取り出しや棚への戻しなどを要し、特に薬暦簿の紛失防止に効果がある。また、受付番号は、各処理工程の各端末で別々に付与される構成としてもよい。
【００８３】
また、本実施の形態における調剤システム１００の各構成要素の細部構成、及び細部動作に関しては、本発明の趣旨を逸脱することのない範囲で適宜変更可能であることは勿論である。
【図面の簡単な説明】
【００８４】
【図１】調剤システム１００の構成図である。
【図２】サーバ１０の内部構成を示すブロック図である。
【図３】受付端末２０の内部構成を示すブロック図である。
【図４】案内表示器６０の内部構成を示すブロック図である。
【図５】サーバ１０の記憶部１５に記憶される管理情報ファイル１５１の構成図である。
【図６】サーバ１０の記憶部１５に記憶される関連付けファイル１５２の構成図である。
【図７】受付端末２０の記憶部２５に記憶される感知時間ファイル２５１の構成図である。
【図８】各端末において実行される感知エリア設定処理を示すフローチャートである。
【図９】受付端末２０において実行される受付処理を示すフローチャートである。
【図１０】各端末において実行される感知時間管理処理を示すフローチャートである。
【図１１】調剤端末３０、服薬指導端末４０、会計端末５０において実行される工程関連処理を示すフローチャートである。
【図１２】サーバ１０において実行される情報管理処理を示すフローチャートである。
【符号の説明】
【００８５】
１００  調剤システム
１０  サーバ
２０  受付端末
６０  案内表示器
１１，２１，６１  ＣＰＵ
１１１，２１１，６１１  制御部
１２，２２，６２  操作部
１３，２３，６３  ＲＡＭ
１４，２４，６４  表示部
１５，２５，６５  記憶部
１６，２６，６６  通信部
１７，２９，６７  バス
２７  計時部
２８  通信接続部
２０Ａ，３０Ａ，４０Ａ，５０Ａ  電波受信装置
３０  調剤端末
４０  受付端末
５０  会計端末
７０  電波発信機
Ｎ  通信ネットワーク
Ｐ  処方箋
【図１】
2005141370.tif 000003
【図２】
2005141370.tif 000004
【図３】
2005141370.tif 000005
【図４】
2005141370.tif 000006
【図５】
2005141370.tif 000007
【図６】
2005141370.tif 000008
【図７】
2005141370.tif 000009
【図８】
2005141370.tif 000010
【図９】
2005141370.tif 000011
【図１０】
2005141370.tif 000012
【図１１】
2005141370.tif 000013
【図１２】
2005141370.tif 000014